(57)【要約】【課題】携帯情報端末装置におけるデータ入力の精度を向上させるとともに、データ入力の簡便化及び効率化を実現する。【解決手段】携帯通信端末装置１のＣＰＵ１１は、音声データ入力処理において、音声データをテキストデータに変換後、テキストデータを項目に基づいて変換し、変換できない場合は仮登録データとしてＲＡＭ１５に記憶し、辞書変更処理において、使用する辞書を変更して仮登録データを漢字変換する。また、キー入力データ登録処理において、項目辞書１ｃに登録されていないテキストデータを未登録データとしてＲＡＭ１５に記憶する。また、同期登録処理において、仮登録データ及び未登録データをＰＣ２に出力し、ＰＣ２から漢字データを取得して項目辞書１ｃに登録する。【選択図】　　　　　図１
2004029315.tif 000002
【特許請求の範囲】
【請求項１】
特定の項目別に読み文字列と漢字文字列とを対応付けて登録した項目別辞書を記憶する記憶手段と、
音声を入力する音声入力手段と、
前記音声入力手段から入力された音声を認識して文字列データを出力する音声認識手段と、
前記音声認識手段により認識された文字列データに前記特定の項目を含むか否かを判別する判別手段と、
前記判別手段により前記文字列データに特定の項目を含むと判別された場合、当該文字列データを前記記憶手段に記憶された項目別辞書に基づいて漢字文字列に変換する変換手段と、
を備えたことを特徴とする携帯情報端末装置。
【請求項２】
前記記憶手段は、前記項目別辞書として、特定の項目の漢字文字列と対応する文字列を記憶することを特徴とする請求項１記載の情報端末装置。
【請求項３】
読み文字列の漢字変換機能を備えた情報処理装置と接続する接続手段と、
読み文字列をキー入力するキー入力手段と、
前記キー入力手段から入力された読み文字列データを前記接続手段を介して前記情報処理装置に送信する送信手段と、
前記送信手段により送信された読み文字列データにより漢字変換された漢字文字列データを前記接続手段を介して前記情報処理装置から受信する受信手段と、前記キー入力手段により入力された読み文字列データと、前記受信手段により受信された漢字文字列データとを対応付けて前記記憶手段に記憶された項目別辞書に登録する登録手段と、
を更に備えたことを特徴とする請求項１記載の携帯情報端末装置。
【請求項４】
前記送信手段は、前記音声認識手段により音声認識され、前記変換手段により漢字文字列に変換できなかった読み文字列データを前記情報処理装置に送信することを特徴とする請求項１又は請求項２記載の携帯情報端末装置。
【発明の詳細な説明】
【０００１】
【発明の属する技術分野】
本発明は、文字列の漢字変換機能を備えた携帯情報端末装置に関する。
【０００２】
【従来の技術】
従来、ＰＤＡ（携帯情報端末：Ｐｅｒｓｏｎａｌ　Ｄｉｇｉｔａｌ　Ａｓｓｉｓｔａｎｃｅ）などの携帯情報端末装置において、操作入力の簡便化や効率化が求められている。例えば、キーボード、ペンタッチ、ペンを使用した手書き文字認識などの様々な方法による操作入力が可能な携帯情報端末装置が考案されている。また、近年の技術の進歩により、音声認識によるデータ入力が実用化されようとしている。
【０００３】
音声認識によりデータ入力を行う装置においては、マイクを介して入力された音声データを、音声辞書を参照して読み文字に変換し、更にこの読み文字を辞書により漢字仮名混じり文字に変換する。このように、ユーザはマイクから音声を入力するだけで、音声データが漢字に自動的に変換されるので、簡単に操作入力を行うことができる。
【０００４】
【発明が解決しようとする課題】
しかしながら、従来の携帯情報端末装置は、一般のコンピュータと比較すると、小型化のため搭載される機能が限られるため、ＣＰＵの処理能力が低く、メモリ容量が限られている。また、携帯情報端末装置は携帯して使用され、使用環境が非常に広範であり多様な処理の実行が求められることから、音声認識機能のみを重視してその他の機能を縮小することはできない。そのため、従来の携帯情報端末装置では、例えば、音声データにより住所録やスケジュールを入力する際に、認識処理や変換処理による誤入力が少なくなかった。
【０００５】
また、音声データの認識処理や認識されたデータの漢字変換処理は、ＣＰＵやメモリに負担をかけるため、従来の携帯情報端末装置では音声データによる入力処理に多くの時間を要し、入力速度においても改善の余地があった。
【０００６】
一方、音声データ入力の精度を上げるために、単に音声認識のエンジンだけでデータ入力を行うのではなく、データ入力の範囲を設定してから音声認識処理を行う手法が考案されている。しかしながら、この手法によると、音声データ入力を行う度に毎回入力範囲を設定する必要があり、操作が煩雑であり、効率的ではなかった。
【０００７】
本発明の課題は、携帯情報端末装置におけるデータ入力の精度を向上させるとともに、データ入力の簡便化及び効率化を実現することである。
【０００８】
【課題を解決するための手段】
請求項１記載の発明は、
携帯情報端末装置において、
特定の項目別に読み文字列と漢字文字列とを対応付けて登録した項目別辞書を記憶する記憶手段と、
音声を入力する音声入力手段と、
前記音声入力手段から入力された音声を認識して文字列データを出力する音声認識手段と、
前記音声認識手段により認識された文字列データに前記特定の項目を含むか否かを判別する判別手段と、
前記判別手段により前記文字列データに特定の項目を含むと判別された場合、当該文字列データを前記記憶手段に記憶された項目別辞書に基づいて漢字文字列に変換する変換手段と、
を備えたことを特徴としている。
【０００９】
この請求項１記載の発明によれば、
携帯情報端末装置において、記憶手段は、特定の項目別に読み文字列と漢字文字列とを対応付けて登録した項目別辞書を記憶し、音声入力手段は、音声を入力し、音声認識手段は、前記音声入力手段から入力された音声を認識して文字列データを出力し、判別手段は、前記音声認識手段により認識された文字列データに前記特定の項目を含むか否かを判別し、変換手段は、前記判別手段により前記文字列データに特定の項目を含むと判別された場合、当該文字列データを前記記憶手段に記憶された項目別辞書に基づいて漢字文字列に変換する。
【００１０】
したがって、携帯情報端末装置におけるデータ入力の精度を向上させるとともに、データ入力の簡便化及び効率化を実現することができる。
【００１１】
【発明の実施の形態】
以下、図を参照して本発明を適用した実施の形態を詳細に説明する。
まず、構成を説明する。
図１は、本発明を適用した携帯情報端末装置１のＰＣ２への接続方法を示す図である。図１に示すように、携帯情報端末装置１は、ＰＣ２に接続された接続台３に載置されることにより接続台３に設けられたインターフェース（図示省略）を介して接続台３に接続され、これによってＰＣ２にも接続される。
【００１２】
携帯情報端末装置１は、個人情報を管理するＰＩＭ（Ｐｅｒｓｏｎａｌ　Ｉｎｆｏｒｍａｔｉｏｎ　Ｍａｎａｇｅｒ）と呼ばれるプログラムで作成されたスケジュール、ＴＯ　ＤＯ（備忘録）、住所録などの個人情報データを管理する装置である。携帯情報端末装置１は、接続台３を介してＰＣ２に接続され、ＰＣ２と同期する。
【００１３】
ＰＣ（Ｐｅｒｓｏｎａｌ　Ｃｏｍｐｕｔｅｒ）２は、携帯情報端末１よりも高性能なＣＰＵと大容量のメモリを内蔵し、主として携帯されずに固定されて使用されるコンピュータである。
【００１４】
接続台３は、携帯情報端末装置１及びＰＣ２の各々に接続するための図示しないインターフェースを備え、これらの装置間におけるデータの授受を仲介する。具体的には、データの転送速度の調整などを行う。
【００１５】
図２は、本実施の形態による携帯情報端末装置１の概略構成を示すブロック図である。図２に示すように、携帯情報端末装置１は、ＣＰＵ１１、表示部１２、タッチパネル１３、キー入力部１４、ＲＡＭ１５、記憶装置１６、音声入力部１７、音声認識部１８、ＰＣ接続通信部１９、通信制御部２０により構成され、各部は相互にデータの送受信が可能なようにバス２１により接続されている。
【００１６】
ここで、図３を参照して、携帯情報端末装置１及びＰＣ２に記憶された各種辞書及びデータについて説明する。図３（Ａ）は、携帯情報端末装置１及びＰＣ２に記憶された辞書及びデータを示す図であり、（Ｂ）は、個人情報データの内容の一例を示す図である。
【００１７】
図３（Ａ）に示すように、携帯情報端末装置１の記憶装置１６には、命令語辞書１ａ、一般辞書１ｂ、及び項目辞書１ｃの各種辞書と、「スケジュール」、「ＴＯ　ＤＯ」、「住所録」を含む個人情報データとが記憶され、ＲＡＭ１５には後述する仮登録データ及び未登録データが記憶される。また、ＰＣ２には、読み変換辞書２ａ及び漢字辞書２ｂが記憶されている。
【００１８】
記憶装置１６に記憶された命令語辞書１ａは、携帯情報端末１が実行可能な処理を開始させるためのコマンド（命令語）の辞書であり、ＣＰＵ１１は、音声入力部１７を介して入力された音声データを音声認識部１８によりテキストデータに変換し、このテキストデータに命令語辞書１ａに登録された命令語と一致する文字列が含まれていれば命令として認識し、命令された処理を実行する。
【００１９】
また、一般辞書１ｂは、仮名の読みデータと漢字データとを対応付けて記憶する漢字変換用辞書である。なお、本実施例でいう漢字データには、漢字のみにより構成されるデータだけでなく、漢字と仮名とが混合したデータも含まれることとする。
【００２０】
また、項目辞書１ｃは、スケジュール、ＴＯ　ＤＯ、住所録などの個人情報データの各項目（例えば、氏名、読み、電話など）に分類された読みデータと漢字データとを対応付けて記憶する項目別の漢字変換用辞書である。
【００２１】
項目辞書１ｃには、例えば、図３（Ｂ）に示すように、氏名（漢字と読み）、電話、住所、メールアドレスなどの項目があり、これらの各項目に分類された単語の読みデータと漢字データとが対応付けられて記憶されている。また、スケジュール内容の項目には、スケジュール内容に関連した単語の読みデータと漢字データとが対応付けて記憶されており、図３（Ｂ）に示すように「スケジュールないよう　きかくかいぎ」という音声データが入力されると、ＣＰＵ１１は、項目「スケジュール内容」に分類された単語だけを検索範囲として項目辞書１ｃから読みデータ「きかくかいぎ」を検索し、読みデータに対応する漢字データ「企画会議」を項目辞書１ｃから読み出すことにより漢字変換する。
【００２２】
このように、項目辞書１ｃを使用して、項目を指定することにより検索範囲を限定できるため、読みデータから漢字データへの変換精度が向上される。また、変換に要する時間が短縮される。
【００２３】
また、ＲＡＭ１５に記憶される仮登録データとは、後述する音声データ入力処理において音声データから生成されたテキストデータのうち、個人情報データの読みデータや項目辞書１ｃに登録された読みデータと一致する文字列を含まないため漢字データに変換できない仮名のテキストデータであり、ＣＰＵ１１は、仮登録データをＲＡＭ１５に一時的に保存する。仮登録データは、後述する同期登録処理において、携帯情報端末装置１と同期したＰＣ２により漢字辞書２ｂを用いて漢字データに変換され、この漢字データと対応付けられて項目辞書１ｃに登録される。
【００２４】
また、ＲＡＭ１５に記憶される未登録データとは、ＣＰＵ１１により実行される後述するキー入力データ登録処理において、キー入力部１４から入力されたテキストデータのうち、記憶装置１６の個人情報データと一致する文字列を含まず、項目辞書１ｃに登録がなく、一般辞書１ｂに登録があるデータであり、ＣＰＵ１１は、未登録データをＲＡＭ１５に一時的に保存する。未登録データは、後述する同期登録処理において、携帯情報端末装置１と同期したＰＣ２により読み変換辞書２ａを用いて漢字データに変換されると、この漢字データと対応付けて項目辞書１ｃに登録される。
【００２５】
図３（Ａ）に示す読み変換辞書２ａは、ＰＣ２に記憶された、未登録データを漢字変換するための辞書である。ＰＣ２は、携帯情報端末装置１と同期して携帯情報端末装置１から未登録データが入力されると、読み変換辞書２ａを利用して漢字データに変換して携帯情報端末装置１に出力する。
【００２６】
また、漢字辞書２ｂは、ＰＣ２に記憶された、仮登録データを漢字変換するための辞書である。ＰＣ２は、携帯情報通信端末装置１から仮登録データが入力されると、漢字辞書２ｂを利用して漢字データに変換して携帯情報端末装置１に出力する。
【００２７】
以下、図２を参照して携帯情報端末装置１の機能的構成を詳細に説明する。
【００２８】
ＣＰＵ（Ｃｅｎｔｒａｌ　Ｐｒｏｃｅｓｓｉｎｇ　Ｕｎｉｔ）１１は、記憶装置１７に記憶されているシステムプログラムを読み出し、ＲＡＭ１５内に形成されたワークメモリに展開し、該システムプログラムに従って各部を制御する。
【００２９】
具体的には、ＣＰＵ１１は、記憶装置１６に記憶された音声データ入力処理プログラム、辞書変更処理プログラム、キー入力データ登録処理プログラム、及び同期登録処理プログラムを読み出してワークメモリに展開し、後述する音声データ入力処理、辞書変更処理、キー入力データ登録処理、及び同期登録処理を実行し、それらの処理結果をＲＡＭ１５内のワークメモリに記憶するとともに表示部１２に表示させる。
【００３０】
音声データ入力処理において、ＣＰＵ１１は、音声入力部１７から入力された音声データを音声認識部１８によりテキストデータに変換し、このテキストデータに命令語辞書１ａに登録された命令語と一致する文字列が含まれる場合には、命令された処理を実行する。
【００３１】
一方、テキストデータに命令語辞書１ａに登録された命令語が含まれず、項目を指定するデータと、記憶装置１６に記憶された個人情報データの読みデータと一致する文字列とが含まれる場合には、個人情報データを利用してテキストデータを漢字データに変換して表示部１２に表示する。また、テキストデータに命令語も個人情報データの読みデータと一致する文字列も含まれず、項目を指定するデータと項目辞書１ｃに登録された読みデータの文字列とが含まれている場合には、読みデータに対応付けられた漢字データを項目辞書１ｃから読み出して表示部１２に表示する。
【００３２】
また、ＣＰＵ１１は、テキストデータに読みデータが含まれていない場合には、テキストデータを表示部１２に仮名で表示するとともに、仮登録データとしてＲＡＭ１５に一時記憶させる。
【００３３】
ＣＰＵ１１は、音声データ入力処理において仮登録データがＲＡＭ１５に保存されると、辞書変更処理を実行する。辞書変更処理において、ＣＰＵ１１は、利用する辞書を項目辞書１ｃから一般辞書１ｂに変更し、音声データに基づいて生成されたテキストデータに一般辞書１ｂに登録された読みデータが含まれていれば、テキストデータを漢字データに変換し、仮登録データをＲＡＭ１５から消去する。
【００３４】
キー入力データ登録処理において、ＣＰＵ１１は、キー入力部１４から項目を指定するデータが入力されると、指定された項目の画面を表示部１２に表示し、さらにキー入力部１４からテキストデータが入力されると、一般辞書１ｂ又は項目辞書１ｃを利用してテキストデータを漢字データに変換して表示部１２に表示する。そして、テキストデータが項目辞書１ｃに登録されていない場合には、テキストデータを未登録データとしてＲＡＭ１５に一時保存する。
【００３５】
同期登録処理において、ＣＰＵ１１は、ＰＣ接続通信部１９からの入力信号によりＰＣ２と同期したことを検出すると、ＲＡＭ１５に一時保存された仮登録データを読み出し、ＰＣ接続通信部１９から接続台３を介してＰＣ２に出力する。ＰＣ２は、仮登録データが入力されると漢字辞書２ｂを用いて漢字データに変換し、接続台３を介して携帯情報端末装置１に出力する。ＣＰＵ１１は、ＰＣ２に出力した仮登録データとＰＣ２から入力された漢字データとを対応付けて項目辞書１ｃに登録し、ＲＡＭ１５から仮登録データを消去する。
【００３６】
また、同期登録処理において、ＣＰＵ１１は、ＲＡＭ１５に一時保存された未登録データを読み出し、ＰＣ接続通信部２９から接続台３を介してＰＣ２に出力する。ＰＣ２は、未登録データが入力されると、読み変換辞書２ａを用いて漢字データに変換し、接続台３を介して携帯情報端末装置１に出力する。ＣＰＵ１１は、ＰＣ２に出力した未登録データとＰＣ２から入力される漢字データとを対応付けて項目辞書１ｃに登録し、未登録データをＲＡＭ１５から消去する。
【００３７】
表示部１２は、ＬＣＤ（Ｌｉｑｕｉｄ　Ｃｒｙｓｔａｌ　Ｄｉｓｐｌａｙ）などにより構成され、ＣＰＵ１１から入力される表示信号の指示に従って、ＣＰＵ１１により処理中のデータや処理結果のデータなどを表示する。
【００３８】
タッチパネル１３は、透明電極が格子状に配置された感圧式（抵抗膜圧式）の操作入力用パネルであるが、視認性の観点から光の透過率が高いものが望ましい。タッチパネル１３は、手指や専用のタッチペンなどで押された力点の位置座標を電圧値で検出し、検出された位置信号を操作信号としてＣＰＵ１１に出力する。また、タッチパネル１３は、数字ボタンや各種設定を切り替える機能ボタンなどを備えている。
【００３９】
キー入力部１４は、カーソルキー、数字入力キー及び各種機能キーなどを含み、これらのキーの押下信号を操作信号としてＣＰＵ１１に出力する。
【００４０】
ＲＡＭ（Ｒａｎｄｏｍ　Ａｃｃｅｓｓ　Ｍｅｍｏｒｙ）１５は、ＣＰＵ１１により実行制御される各種処理において、記憶装置１６から読み出されたプログラム、入力または出力データ、及びパラメータなどの一時的な格納領域を形成する。具体的には、ＲＡＭ１５は、仮登録データ及び未登録データを記憶する。
【００４１】
記憶装置１６は、各種プログラム、各種データなどが予め記憶された又は書込み可能な記録媒体（図示せず）を有し、当該記録媒体は、磁気的、光学的記録媒体、若しくは半導体などの不揮発性メモリなどのＣＰＵ１１読取可能な記録媒体で構成されている。当該記録媒体は、固定ハードディスクなどの固定的に設けたもの、若しくはメモリカード、携帯ハードディスクなどの着脱自在に装着する可搬型のものを含む。
【００４２】
具体的には、記憶装置１６は、音声データ入力処理プログラム、辞書変更処理プログラム、キー入力データ登録処理プログラム、同期登録処理プログラム、音声認識プログラム、及び個人情報データなどを記憶する。
【００４３】
また、記憶装置１６に記憶されたプログラム、データなどは、その一部若しくは全部を外部機器からＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）などの通信ネットワークＮを介して通信制御部２０から受信して格納する構成にしてもよい。また、記憶装置１６は通信ネットワークＮ上に構築された外部機器の記憶装置であってもよい。更に、通信ネットワークＮを介して前記各種プログラムを外部機器へ送信及びインストールする構成にしてもよい。
【００４４】
音声入力部１７は、マイクなどにより構成され、入力されたアナログ音声信号をＡ／Ｄ変換してデジタル音声データとしてＣＰＵ１１に出力する。
【００４５】
音声認識部１８は、記憶装置１６に記憶された音声認識プログラムに従い、ＣＰＵ１１の指示により音声入力部１７から入力される音声データを解析して、テキストデータに変換する。
【００４６】
ＰＣ接続通信部１９は、携帯情報端末装置１が接続台１４を介してＰＣ２と接続するためのインターフェースであり、携帯情報端末装置１とＰＣ２とが同期するとこれらの装置間におけるデータの授受を仲介する。
【００４７】
通信制御部２０は、通信ネットワークＮを介して、外部機器との通信を行うためのネットワークカード、モデム、ＴＡ（Ｔｅｒｍｉｎａｌ　Ａｄａｐｔｅｒ）、ルータなどによって構成される。
【００４８】
次に、図４〜図７のフローチャートを参照して、本実施の形態の動作を説明する。
図４は、ＣＰＵ１１による音声データ入力処理を示すフローチャートである。図４に示すように、音声データ入力処理において、ＣＰＵ１１は、音声入力部１７を介して音声データが入力されると（ステップＳ１；ＹＥＳ）、音声認識部１８により音声データをテキストデータに変換する（ステップＳ２）。次いで、ＣＰＵ１１は、命令辞書１ａに登録された読みデータと一致する文字列がテキストデータに含まれるか否かを判別し（ステップＳ３）、一致する文字列が含まれる場合には（ステップＳ３；ＹＥＳ）、命令された処理を実行して（ステップＳ１４）、音声データ入力処理を終了する。
【００４９】
一方、ＣＰＵ１１は、命令辞書１ａに登録された読みデータと一致する文字列がテキストデータに含まれない場合には（ステップＳ３；ＮＯ）、項目辞書１ｃに登録された読みデータと一致する文字列がテキストデータに含まれるか否を判別し（ステップＳ４）、一致する文字列がなければ（ステップＳ４；ＮＯ）、表示部１２にエラーであることを表示して（ステップＳ１３）、音声データ入力処理を終了し、一致する文字列があれば（ステップＳ４；ＹＥＳ）、指定された項目の画面を表示する（ステップＳ５）。
【００５０】
次いで、ＣＰＵ１１は、記憶装置１６に記憶された既存の個人情報データの読みデータと一致する文字列がテキストデータに含まれるか否かを判別し（ステップＳ６）、一致する文字列が含まれていれば（ステップＳ６；ＹＥＳ）、個人情報データを参照して文字列を漢字データに変換して（ステップＳ１２）、ステップＳ９に移行する。一方、ＣＰＵ１１は、テキストデータに個人情報データの読みデータと一致する文字列が含まれていなければ（ステップＳ６；ＮＯ）、ステップＳ７に移行する。
【００５１】
続いて、ＣＰＵ１１は、項目辞書１ｃに登録された読みデータと一致する文字列がテキストデータに含まれるか否かを判別し（ステップＳ７）、一致する文字列が含まれていれば（ステップＳ７；ＹＥＳ）、項目辞書１ｃを用いて当該文字列を漢字データに変換し（ステップＳ８）、表示部１２に表示して（ステップＳ９）、音声データ入力処理を終了する。
【００５２】
一方、上記ステップＳ７において、項目辞書１ｃに登録された読みデータと一致する文字列がテキストデータに含まれない場合には（ステップＳ７；ＮＯ）、ＣＰＵ１１は、テキストデータを表示部１２に仮名で表示し（ステップＳ１０）、テキストデータを仮登録データとしてＲＡＭ１５に一時保存して（ステップＳ１１）、音声データ入力処理を終了する。
【００５３】
図５は、ＣＰＵ１１による辞書変更処理を示すフローチャートである。図５に示すように、辞書変更処理において、ＣＰＵ１１は、ＲＡＭ１５に記憶された仮登録データを指定し（ステップＳ２１）、利用する辞書を変更する（ステップＳ２２）。具体的には、音声データ入力処理で使用した項目辞書１ｃの代わりに、使用する辞書を一般辞書１ｂに変更する。
【００５４】
次に、ＣＰＵ１１は、変更後の辞書に仮登録データと一致する読みデータが登録されているか否かを判別し（ステップＳ２３）、一致する読みデータが登録されていないと判別すると（ステップＳ２３；ＮＯ）、表示部１２にエラー表示を行って（ステップＳ２７）、辞書変更処理を終了する。一方、変更後の辞書に仮登録データと一致する読みデータが登録されていると（ステップＳ２３；ＹＥＳ）、ＣＰＵ１１は、変更後の辞書を用いて仮登録データを漢字データに変換し（ステップＳ２４）、表示部１２に表示した後（ステップＳ２５）、ＲＡＭ１５から仮登録データを消去して（ステップＳ２６）、辞書変更処理を終了する。
【００５５】
図６は、ＣＰＵ１１によるキー入力データ登録処理を示すフローチャートである。図６に示すように、キー入力データ登録処理において、ＣＰＵ１１は、キー入力部１４を介して項目を指定するデータが入力されると（ステップＳ３１；ＹＥＳ）、指定された項目の画面を表示部１２に表示する（ステップＳ３２）。
【００５６】
次いで、ＣＰＵ１１は、キー入力部１４を介してテキストデータが入力されると（ステップＳ３３；ＹＥＳ）、記憶装置１６に記憶された個人情報データの読みデータと一致する文字列がテキストデータに含まれるか否かを判別し（ステップＳ３４）、含まれる場合には（ステップＳ３４；ＹＥＳ）、個人情報データを参照して文字列を漢字データに変換して（ステップＳ４３）、ステップＳ３７に移行する。
【００５７】
一方、ＣＰＵ１１は、入力されたテキストデータに、個人情報データの読みデータと一致する文字列が含まれない場合には（ステップＳ３４；ＮＯ）、項目辞書１ｃに登録された読みデータと一致する文字列が、入力されたテキストデータに含まれるか否かを判別し（ステップＳ３５）、含まれる場合には（ステップＳ３５；ＹＥＳ）、項目辞書１ｃを用いて漢字データに変換し（ステップＳ３６）、表示部１２に表示して（ステップＳ３７）、キー入力データ登録処理を終了する。
【００５８】
ＣＰＵ１１は、上記ステップＳ３５において、項目辞書１ｃに登録された読みデータと一致する文字列が入力されたテキストデータに含まれていないと判別すると（ステップＳ３５；ＮＯ）、一般辞書１ｂに登録された読みデータと一致する文字列がテキストデータに含まれるか否かを判別し（ステップＳ３８）、一致する文字列が含まれていないと（ステップＳ３８；ＮＯ）、表示部１２においてエラー表示を行って（ステップＳ４２）、キー入力データ登録処理を終了する。
【００５９】
一方、ＣＰＵ１１は、上記ステップＳ３８において、一般辞書１ｂに登録された読みデータと一致する文字列がテキストデータに含まれると判別すると（ステップＳ３８；ＹＥＳ）、一般辞書１ｂを用いて漢字データに変換し（ステップＳ３９）、表示部１２に表示し（ステップＳ４０）、テキストデータを未登録データとしてＲＡＭ１５に一時保存して（ステップＳ４１）、キー入力データ登録処理を終了する。
【００６０】
図７は、ＣＰＵ１１による同期登録処理を示すフローチャートである。図７に示すように、同期登録処理において、ＣＰＵ１１は、ＰＣ接続通信部１９からの入力信号に基づいて、携帯情報端末装置１が接続台３を介してＰＣ２と接続してＰＣ２と同期したことを判別すると（ステップＳ５１；ＹＥＳ）、ＲＡＭ１５に記憶された仮登録データを読み出してＰＣ２に出力する（ステップＳ５２）。
【００６１】
次いで、ＣＰＵ１１は、ＰＣ２により漢字辞書２ｂを用いて変換された漢字データがＰＣ接続通信部１９から入力されると（ステップＳ５３；ＹＥＳ）、仮登録データと漢字データとを対応付けて項目辞書１ｃに登録するとともに、ＲＡＭ１５から仮登録データを消去する（ステップＳ５４）。
【００６２】
次いで、ＣＰＵ１１は、ＲＡＭ１５から未登録データを読み出してＰＣ２に出力し（ステップＳ５５）、ＰＣ２により読み変換辞書２ａを用いて変換された漢字データがＰＣ接続通信部１９を介して入力されると（ステップＳ５６；ＹＥＳ）、未登録データと漢字データとを対応付けて項目辞書１ｃに登録するとともに、ＲＡＭ１５から未登録データを消去し（ステップＳ５７）、同期登録処理を終了する。
【００６３】
ここで、図８を参照して音声データ入力処理の具体例を説明する。図８に示すように、ＣＰＵ１１は、音声データ入力処理において、音声入力部１７から「けんめい　はんばいかいぎ」という音声データが入力されると、この音声データを音声認識部１８によりテキストデータに変換する。次いで、ＣＰＵ１１は、記憶装置１６に記憶された個人情報データの、「けんめい」に対応付けられた読みデータの中から「はんばいかいぎ」を検索し、該当する読みデータを見つけると、この読みデータに対応する漢字データ「販売会議」を読み出して表示部１２に表示する。
【００６４】
一方、ＣＰＵ１１は、個人情報データに項目「けんめい」に対応する読みデータ「はんばいかいぎ」が登録されていないと判断すると、項目辞書１ｃの「けんめい」の項目に分類された読みデータの中から、読みデータ「はんばいかいぎ」を検索し、検索された読みデータに対応する漢字データ「販売会議」を項目辞書１ｃから読み出して、表示部１２に表示する。
【００６５】
以上のように、携帯通信端末装置１のＣＰＵ１１は、音声データ入力処理において、音声データをテキストデータに変換後、テキストデータを項目に基づいて変換し、変換できない場合は仮登録データとしてＲＡＭ１５に記憶し、辞書変更処理において、使用する辞書を変更して仮登録データを漢字変換する。また、キー入力データ登録処理において、項目辞書１ｃに登録されていないテキストデータを未登録データとしてＲＡＭ１５に記憶する。また、同期登録処理において、仮登録データ及び未登録データをＰＣ２に出力し、ＰＣ２から漢字データを取得して項目辞書１ｃに登録する。
【００６６】
したがって、項目別単語を分類して記憶する項目辞書１ｃを使用することによって、音声認識率を向上させるとともに、簡単な操作で速やかに音声データ及びキー入力データの入力処理を実行することができる。また、ＰＣ２と同期することにより入力データを漢字変換できるため、膨大なデータ量の辞書を携帯情報端末装置１に搭載する必要がなく、小型化の妨げとならない。
【００６７】
また、ＣＰＵ１１は同期登録処理において、ユーザが入力したデータとこれに対応する漢字データとを項目辞書１ｃに登録するため、２回目以降のデータ入力において簡単かつ速やかに所望の漢字に変換することができ、利便性が高い。
【００６８】
なお、本発明は上記実施の形態に限定されるものではない。例えば、ユーザにより入力されるテキストデータを漢字、又は仮名に変換したデータを表示部１２に表示する際に、例えば、一つの読みデータに対応する漢字データが複数ある場合など、複数の変換候補が存在する場合には、変換候補をすべて表示して、ユーザによる選択に従って漢字データに変換してもよい。
【００６９】
また、略式の読みデータを漢字データと対応付けて項目辞書１ｃに登録してもよい。例えば、氏名のニックネームをフルネームと対応付けて登録することにより、キー入力や音声入力をより簡便に素早く行うことができる。
【００７０】
その他、携帯通信端末装置１を構成する各端末又は構成部分の細部構成、及び細部動作に関しても、本発明の趣旨を逸脱することのない範囲で適宜変更可能である。
【００７１】
【発明の効果】
請求項１記載の発明によれば、携帯情報端末装置におけるデータ入力の精度を向上させるとともに、データ入力の簡便化及び効率化を実現することができる。
【図面の簡単な説明】
【図１】本発明を適用した携帯情報端末装置１のＰＣ２への接続方法を示す図である。
【図２】本発明を適用した携帯情報端末装置１の機能的構成を示すブロック図である。
【図３】図３（Ａ）は、携帯情報端末装置１及びＰＣ２に記憶された辞書と携帯情報端末装置１が処理する項目及びデータを示す図であり、（Ｂ）は、項目辞書１ａの内容の一例を示す図である。
【図４】図２のＣＰＵ１１による音声データ入力処理を示すフローチャートである。
【図５】図２のＣＰＵ１１による辞書変更処理を示すフローチャートである。
【図６】図２のＣＰＵ１１によるキー入力データ登録処理を示すフローチャートである。
【図７】図２のＣＰＵ１１による同期登録処理を示すフローチャートである。
【図８】音声データ入力処理の具体例を説明する図である。
【符号の説明】
１　携帯情報端末装置
２　ＰＣ
３　接続台
１１　ＣＰＵ
１２　表示部
１３　タッチパネル
１４　キー入力部
１５　ＲＡＭ
１６　記憶装置
１７　音声入力部
１８　音声認識部
１９　ＰＣ接続制御部
２０　通信制御部
２１　バス
【図１】
2004029315.tif 000003
【図２】
2004029315.tif 000004
【図３】
2004029315.tif 000005
【図４】
2004029315.tif 000006
【図５】
2004029315.tif 000007
【図６】
2004029315.tif 000008
【図７】
2004029315.tif 000009
【図８】
2004029315.tif 000010